(57)【要約】MTC-IWFエンティティ（１）は、メッセージング部（１０１）を有する。メッセージング部（１０１）は、PCRF（６０）とMTC-IWFエンティティ（１）との間のシグナリング・インタフェース（１３）を介して、第１の負荷情報を含む制御メッセージをPCRF（６０）から受信するよう動作する。第１の負荷情報は、GGSN（５７）、S-GW（５８）、又はP-GW（５７）におけるユーザープレーン又はコントロールプレーンの負荷状況を示す。これにより、例えば、PLMNの負荷情報をMTC-IWF又はSCSにおいて収集することを容易にできる。
2015025444.tif 000002
【特許請求の範囲】
【請求項１】
モバイルコアネットワークに配置されるMachine Type Communication Inter Working Function（MTC-IWF）エンティティであって、
Policy and Charging Rule Function（PCRF）と前記MTC-IWFエンティティとの間のシグナリング・インタフェースを介して、第１の負荷情報を含む制御メッセージを前記PCRFから受信するメッセージング手段を備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
MTC-IWFエンティティ。
【請求項２】
前記第１の負荷情報に基づいてMachine Type Communication（MTC）デバイスの通信に関する課金ポリシーを決定する第１の制御手段をさらに備える、請求項１に記載のMTC-IWFエンティティ。
【請求項３】
前記第１の負荷情報に基づいて将来のネットワーク負荷を予測する第２の制御手段をさらに備える、請求項１又は２に記載のMTC-IWFエンティティ。
【請求項４】
前記モバイルコアネットワークの負荷状況を示す第２の負荷情報を前記第１の負荷情報に基づいて作成し、前記第２の負荷情報をService Capability Server（SCS）を介してアプリケーションサーバに送る第３の制御手段をさらに備える、請求項１〜３のいずれか１項に記載のMTC-IWFエンティティ。
【請求項５】
Machine Type Communication Inter Working Function（MTC-IWF）エンティティにおいて、Policy and Charging Rule Function（PCRF）と前記MTC-IWFエンティティとの間のシグナリング・インタフェースを介して、第１の負荷情報を含む制御メッセージを前記PCRFから受信することを備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
通信方法。
【請求項６】
前記第１の負荷情報に基づいてMachine Type Communication（MTC）デバイスの通信に関する課金ポリシーを決定することを更に備える、請求項５に記載の通信方法。
【請求項７】
前記第１の負荷情報に基づいて将来のネットワーク負荷を予測することをさらに備える、請求項５又は６に記載の通信方法。
【請求項８】
モバイルコアネットワークの負荷状況を示す第２の負荷情報を前記第１の負荷情報に基づいて作成すること、及び
前記第２の負荷情報をService Capability Server（SCS）を介して前記MTC-IWFエンティティからアプリケーションサーバに送ること、
をさらに備える、請求項５〜７のいずれか１項に記載の通信方法。
【請求項９】
通信方法をコンピュータに行わせるためのプログラムを格納した非一時的なコンピュータ可読媒体であって、
前記通信方法は、Machine Type Communication Inter Working Function（MTC-IWF）エンティティにおいて、Policy and Charging Rule Function（PCRF）と前記MTC-IWFエンティティとの間のシグナリング・インタフェースを介して、第１の負荷情報を含む制御メッセージを前記PCRFから受信することを備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
非一時的なコンピュータ可読媒体。
【請求項１０】
Policy and Charging Enforcement Function（PCEF）としてのGateway General Packet Radio Service Support Node（GGSN）又はPacket Data Network Gateway（P-GW）にPolicy and Charging Control（PCC）ルールを供給する制御手段と、
負荷情報をService Capability Server（SCS）又はアプリケーションサーバに送るメッセージング手段を備え、
前記負荷情報は、前記GGSN、前記P-GW、又はServing Gateway（S-GW）におけるユーザープレーン又はコントロールプレーンの負荷状況を示す、
Policy and Charging Rule Function（PCRF）エンティティ。
【請求項１１】
Service Capability Server（SCS）エンティティであって、
Machine type Communication Inter Working Function（MTC-IWF）エンティティと前記SCSエンティティとの間の第１のシグナリング・インタフェースを介して、前記MTC-IWFエンティティと通信する第１のメッセージング手段と、
Policy and Charging Rule Function（PCRF）と前記SCSエンティティとの間の第２のシグナリング・インタフェースを介して、負荷情報を含む制御メッセージを前記PCRFから受信する第２のメッセージング手段を備え、
前記負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
SCSエンティティ。
【請求項１２】
Policy and Charging Rule Function（PCRF）エンティティにおいて、Policy and Charging Enforcement Function（PCEF）としてのGateway General Packet Radio Service Support Node（GGSN）又はPacket Data Network Gateway（P-GW）にPolicy and Charging Control（PCC）ルールを供給すること、及び
前記PCRFエンティティにおいて、負荷情報をService Capability Server（SCS）又はアプリケーションサーバに送ること、
を備え、
前記負荷情報は、前記GGSN、前記P-GW、又はServing Gateway（S-GW）におけるユーザープレーン又はコントロールプレーンの負荷状況を示す、
通信方法。
【請求項１３】
Service Capability Server（SCS）エンティティにおいて、Machine type Communication Inter Working Function（MTC-IWF）エンティティと前記SCSエンティティとの間の第１のシグナリング・インタフェースを介して、前記MTC-IWFエンティティと通信すること、及び
前記SCSエンティティにおいて、Policy and Charging Rule Function（PCRF）と前記SCSエンティティとの間の第２のシグナリング・インタフェースを介して、負荷情報を含む制御メッセージを前記PCRFから受信すること、
を備え、
前記負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
通信方法。
【請求項１４】
通信方法をコンピュータに行わせるためのプログラムを格納した非一時的なコンピュータ可読媒体であって、
前記通信方法は、
Policy and Charging Rule Function（PCRF）エンティティにおいて、Policy and Charging Enforcement Function（PCEF）としてのGateway General Packet Radio Service Support Node（GGSN）又はPacket Data Network Gateway（P-GW）にPolicy and Charging Control（PCC）ルールを供給すること、及び
前記PCRFエンティティにおいて、負荷情報をService Capability Server（SCS）又はアプリケーションサーバに送ること、
を備え、
前記負荷情報は、前記GGSN、前記P-GW、又はServing Gateway（S-GW）におけるユーザープレーン又はコントロールプレーンの負荷状況を示す、
非一時的なコンピュータ可読媒体。
【請求項１５】
通信方法をコンピュータに行わせるためのプログラムを格納した非一時的なコンピュータ可読媒体であって、
前記通信方法は、
Service Capability Server（SCS）エンティティにおいて、Machine type Communication Inter Working Function（MTC-IWF）エンティティと前記SCSエンティティとの間の第１のシグナリング・インタフェースを介して、前記MTC-IWFエンティティと通信すること、及び
前記SCSエンティティにおいて、Policy and Charging Rule Function（PCRF）と前記SCSエンティティとの間の第２のシグナリング・インタフェースを介して、負荷情報を含む制御メッセージを前記PCRFから受信すること、
を備え、
前記負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
非一時的なコンピュータ可読媒体。
【発明の詳細な説明】
【技術分野】
【０００１】
本出願は、Machine type Communication（MTC）をサポートするUniversal Mobile Telecommunications System（UMTS）及びEvolved Packet System（EPS）に関する。
【背景技術】
【０００２】
Third Generation Partnership Project（3GPP）はMTCの標準化を検討している。MTCは、Machine-to-Machine（M2M）ネットワーク又はセンサネットワークとも呼ばれる。3GPPは、MTCのために機械及びセンサに実装される移動局（MS, UE）を“MTCデバイス”と定義している。MTCデバイスは、機械（e.g., 自動販売機、ガスメータ、電気メータ、自動車、鉄道車両）及びセンサ（e.g., 環境、農業、交通等に関するセンサ）等の様々な機器に搭載される。MTCデバイスは、Public Land Mobile Network（PLMN）に接続し、MTCアプリケーションサーバ（Application Server（AS））と通信を行う。MTC アプリケーションサーバは、PLMNの外部（外部ネットワーク）に配置され、MTCアプリケーションを実行し、MTCデバイスに実装されたMTC UEアプリケーションと通信する。MTC アプリケーションサーバは、一般的に、MTCサービスプロバイダ（M2Mサービスプロバイダ）によって制御される。【０００３】
3GPPは、MTC アプリケーションサーバがMTCデバイスと通信できるようにするために、Service Capability Server （SCS）及びMachine Type Communication Inter Working Function （MTC-IWF）を含むネットワークエレメント、参照点（reference point）、及び手順（procedure）を規定している（非特許文献１を参照）。なお、参照点（reference point）は、インタフェースとも呼ばれる。【０００４】
SCSは、MTCアプリケーションサーバを3GPPのPLMNに接続し、3GPPで定義されたPLMNサービスを介してMTCアプリケーションサーバがUE（つまり、MTCデバイス）と通信できるようにするエンティティである。また、SCSは、MTCアプリケーションサーバがMTC-IWFと通信できるようにする。SCSは、PLMNのオペレータ、又はMTCサービスプロバイダによって制御されることが想定されている。【０００５】
MTC-IWFは、PLMNに属するコントロールプレーンのエンティティである。MTC-IWFは、SCSとのシグナリング・インタフェース（参照点）を有するとともに、PLMN内のノード（例えば、Home Subscriber Server（HSS）、Short Message Service - Service Center（SMS-SC）、Serving GPRS Support Node （SGSN）、Mobility Management Entity（MME）、Mobile Switching Center（MSC））とのシグナリング・インタフェース（参照点）を有する。MTC-IWFは、SCSを含むM2Mサービスレイヤと3GPP PLMNとが、3GPP PLMN のトポロジの詳細を隠蔽しながら協調動作（interwork）するためのコントロールプレーンのインタフェースとして振る舞う。
【先行技術文献】
【非特許文献】
【０００６】
【非特許文献１】3GPP TS 23.682 V11.3.0 (2012-12) “3rd Generation Partnership Project; Technical Specification Group Services and System Aspects;Architecture enhancements to facilitate communications with packet data networks and applications (Release 11)”, 2012年12月
【発明の概要】
【発明が解決しようとする課題】
【０００７】
本件の発明者は、MTCアプリケーションの様々なユースケースについて検討した。例えば、Public Land Mobile Network（PLMN）に関する情報（e.g. 負荷情報）をPLMNからMTCサービスの顧客（i.e. SCSの管理者、MTC アプリケーションサーバの管理者、又はMTCサービスプロバイダ）に提供することが考えられる。また、例えば、MTCサービスに関する課金ポリシー（e.g. 料金）をPLMNの負荷状況に応じて決定することが考えられる。これらのユースケースを実現するためには、例えば、MTC-IWF又はSCSは、PLMN内のネットワークエレメントとの間のシグナリング・インタフェース（参照点）を介して、ユーザープレーン若しくはコントロールプレーン又はこれら両方の負荷状況を取得できることが好ましい。しかしながら、非特許文献１は、PLMNのユーザープレーン又はコントロールプレーンの負荷状況をMTC-IWF又はSCSにおいて収集することについて想定していない。したがって、非特許文献１に規定されたMTC-IWF又はSCSのシグナリング・インタフェース（参照点）又はこれらのシグナリング・インタフェースで転送される情報は、PLMNのユーザープレーン又はコントロールプレーンの負荷情報をMTC-IWF又はSCSにおいて収集するために十分ではない可能性がある。【０００８】
本発明は、上述した発明者の知見に基づいてなされたものであり、その目的の１つは、PLMNの負荷情報をMTC-IWF又はSCSにおいて収集することを容易にするためのMTC-IWFエンティティ、SCSエンティティ、PCRFエンティティ、通信方法、及びプログラムを提供することである。
【課題を解決するための手段】
【０００９】
第１の態様では、MTC-IWFエンティティは、メッセージング部を有する。前記メッセージング部は、Gateway General Packet Radio Service Support Node（GGSN）、Serving Gateway（S-GW）、又はPacket Data Network Gateway（P-GW）と前記MTC-IWFエンティティとの間のシグナリング・インタフェースを介して、第１の負荷情報を含む制御メッセージを前記GGSN、前記S-GW、又は前記P-GWから受信するよう動作する。前記第１の負荷情報は、前記GGSN、前記S-GW、又は前記P-GWにおけるユーザープレーン又はコントロールプレーンの負荷状況を示す。【００１０】
第２の態様では、通信方法は、MTC-IWFエンティティにおいて、GGSN、S-GW、又はP-GWと前記MTC-IWFエンティティとの間のシグナリング・インタフェースを介して、第１の負荷情報を含む制御メッセージを前記GGSN、前記S-GW、又は前記P-GWから受信することを含む。前記第１の負荷情報は、前記GGSN、前記S-GW、又は前記P-GWにおけるユーザープレーン又はコントロールプレーンの負荷状況を示す。【００１１】
第３の態様では、MTC-IWFエンティティは、メッセージング部を有する。前記メッセージング部は、SGSN又はMMEと前記MTC-IWFエンティティとの間のシグナリング・インタフェースを介して、第１の負荷情報を含む制御メッセージを前記SGSN又は前記MMEから受信するよう動作する。前記第１の負荷情報は、GGSN、S-GW、又はP-GWにおけるユーザープレーン又はコントロールプレーンの負荷状況を示す。【００１２】
第４の態様では、通信方法は、MTC-IWFエンティティにおいて、SGSN又はMMEと前記MTC-IWFエンティティとの間のシグナリング・インタフェースを介して、第１の負荷情報を含む制御メッセージを前記SGSN又は前記MMEから受信することを含む。前記第１の負荷情報は、GGSN、S-GW、又はP-GWにおけるユーザープレーン又はコントロールプレーンの負荷状況を示す。【００１３】
第５の態様では、MTC-IWFエンティティは、メッセージング部を有する。前記メッセージング部は、Policy and Charging Rule Function（PCRF）と前記MTC-IWFエンティティとの間のシグナリング・インタフェースを介して、第１の負荷情報を含む制御メッセージを前記PCRFから受信するよう動作する。前記第１の負荷情報は、GGSN、S-GW、又はP-GWにおけるユーザープレーン又はコントロールプレーンの負荷状況を示す。【００１４】
第６の態様では、通信方法は、MTC-IWFエンティティにおいて、PCRFと前記MTC-IWFエンティティとの間のシグナリング・インタフェースを介して、第１の負荷情報を含む制御メッセージを前記PCRFから受信するよう動作する。前記第１の負荷情報は、GGSN、S-GW、又はP-GWにおけるユーザープレーン又はコントロールプレーンの負荷状況を示す。【００１５】
第７の態様では、SCSエンティティは、第１及び第２のメッセージング部を有する。前記第１のメッセージング部は、MTC-IWFエンティティと前記SCSエンティティとの間の第１のシグナリング・インタフェースを介して、前記MTC-IWFエンティティと通信するよう動作する。前記第２のメッセージング部は、GGSN、S-GW、又はP-GWと前記SCSエンティティとの間の第２のシグナリング・インタフェースを介して、第１の負荷情報を含む制御メッセージを前記GGSN、前記S-GW、又は前記P-GWから受信するよう動作する。前記第１の負荷情報は、GGSN、S-GW、又はP-GWにおけるユーザープレーン又はコントロールプレーンの負荷状況を示す。【００１６】
第８の態様では、通信方法は、（ａ）SCSエンティティにおいて、MTC-IWFエンティティと前記SCSエンティティとの間の第１のシグナリング・インタフェースを介して、前記MTC-IWFエンティティと通信すること、及び（ｂ）前記SCSエンティティにおいて、GGSN、S-GW、又はP-GWと前記SCSエンティティとの間の第２のシグナリング・インタフェースを介して、第１の負荷情報を含む制御メッセージを前記GGSN、前記S-GW、又は前記P-GWから受信することを含む。ここで、前記第１の負荷情報は、GGSN、S-GW、又はP-GWにおけるユーザープレーン又はコントロールプレーンの負荷状況を示す。【００１７】
第９の態様では、PCRFエンティティは、制御部及びメッセージング部を有する。前記制御部は、Policy and Charging Enforcement Function（PCEF）としてGGSN又はP-GWにPolicy and Charging Control（PCC）ルールを供給するよう動作する。前記メッセージング部は、負荷情報をSCS又はアプリケーションサーバに送るよう動作する。ここで、前記負荷情報は、前記GGSN、前記P-GW、又はS-GWにおけるユーザープレーン又はコントロールプレーンの負荷状況を示す。【００１８】
第１０の態様では、SCSエンティティは、第１及び第２のメッセージング部を有する。前記第１のメッセージング部は、MTC-IWFエンティティと前記SCSエンティティとの間の第１のシグナリング・インタフェースを介して、前記MTC-IWFエンティティと通信するよう動作する。前記第２のメッセージング部は、PCRFと前記SCSエンティティとの間の第２のシグナリング・インタフェースを介して、負荷情報を含む制御メッセージを前記PCRFから受信するよう動作する。ここで、前記負荷情報は、GGSN、S-GW、又はP-GWにおけるユーザープレーン又はコントロールプレーンの負荷状況を示す。【００１９】
第１１の態様では、通信方法は、（ａ）PCRFエンティティにおいて、PCEFとしてのGGSN又はP-GWにPCCルールを供給すること、及び（ｂ）前記PCRFエンティティにおいて、負荷情報をSCS又はアプリケーションサーバに送ることを含む。ここで、前記負荷情報は、前記GGSN、前記P-GW、又はS-GWにおけるユーザープレーン又はコントロールプレーンの負荷状況を示す。【００２０】
第１２の態様では、通信方法は、（ａ）SCSエンティティにおいて、MTC-IWFエンティティと前記SCSエンティティとの間の第１のシグナリング・インタフェースを介して、前記MTC-IWFエンティティと通信すること、及び（ｂ）前記SCSエンティティにおいて、PCRFと前記SCSエンティティとの間の第２のシグナリング・インタフェースを介して、負荷情報を含む制御メッセージを前記PCRFから受信することを含む。ここで、前記負荷情報は、GGSN、S-GW、又はP-GWにおけるユーザープレーン又はコントロールプレーンの負荷状況を示す。【００２１】
第１３の態様では、MTC-IWFエンティティは、メッセージング部を有する。前記メッセージング部は、SGSN又はMMEと前記MTC-IWFエンティティとの間のシグナリング・インタフェースを介して、第１の負荷情報を含む制御メッセージを前記SGSN又は前記MMEから受信するよう動作する。前記第１の負荷情報は、前記SGSN又は前記MMEの負荷状況を示す。【００２２】
第１４の態様では、通信方法は、MTC-IWFエンティティにおいて、SGSN又はMMEと前記MTC-IWFエンティティとの間のシグナリング・インタフェースを介して、第１の負荷情報を含む制御メッセージを前記SGSN又は前記MMEから受信することを含む。前記第１の負荷情報は、前記SGSN又は前記MMEの負荷状況を示す。【００２３】
第１５の態様では、MTC-IWFエンティティは、メッセージング部を有する。前記メッセージング部は、Traffic Detection Function（TDF）と前記MTC-IWFエンティティとの間のシグナリング・インタフェースを介して、第１の負荷情報を含む制御メッセージを前記TDFから受信するよう動作する。前記第１の負荷情報は、GGSN、S-GW、又はP-GWにおけるユーザープレーンの負荷状況の負荷状況を示す。【００２４】
第１６の態様では、通信方法は、MTC-IWFエンティティにおいて、Traffic Detection Function（TDF）と前記MTC-IWFエンティティとの間のシグナリング・インタフェースを介して、第１の負荷情報を含む制御メッセージを前記TDFから受信することを含む。前記第１の負荷情報は、GGSN、S-GW、又はP-GWにおけるユーザープレーンの負荷状況の負荷状況を示す。【００２５】
第１７の態様では、プログラムは、上述した第２、第４、第６、第８、第１１、第１２、第１４、又は第１６の態様に係る通信方法をコンピュータに行わせるための命令群を含む。
【発明の効果】
【００２６】
上述した態様によれば、PLMNの負荷情報をMTC-IWF又はSCSにおいて収集することを容易にするためのMTC-IWFエンティティ、SCSエンティティ、PCRFエンティティ、通信方法、及びプログラムを提供できる。
【図面の簡単な説明】
【００２７】
【図１】第１の実施形態に係るPLMNの負荷情報を取得する手順を実施するMTC-IWFエンティティを含む無線通信システムを示す図である。
【図２】第１の実施形態に係るPLMNの負荷情報を取得する手順の一例を示すシーケンス図である。
【図３】第１の実施形態に係るPLMNの負荷情報を取得する手順の一例を示すシーケンス図である。
【図４】第１の実施形態に係るMTC-IWFエンティティの構成例を示すブロック図である。
【図５】第２の実施形態に係るPLMNの負荷情報を取得する手順を実施するMTC-IWFエンティティを含む通信システムを示す図である。
【図６】第２の実施形態に係るPLMNの負荷情報を取得する手順の一例を示すシーケンス図である。
【図７】第２の実施形態に係るPLMNの負荷情報を取得する手順の一例を示すシーケンス図である。
【図８】第３の実施形態に係るPLMNの負荷情報を取得する手順を実施するMTC-IWFエンティティを含む通信システムを示す図である。
【図９】第３の実施形態に係るPLMNの負荷情報を取得する手順の一例を示すシーケンス図である。
【図１０】第４の実施形態に係るPLMNの負荷情報を取得する手順を実施するSCSエンティティを含む通信システムを示す図である。
【図１１】第４の実施形態に係るPLMNの負荷情報を取得する手順の一例を示すシーケンス図である。
【図１２】第４の実施形態に係るPLMNの負荷情報を取得する手順の一例を示すシーケンス図である。
【図１３】第４の実施形態に係るSCSの構成例を示すブロック図である。
【図１４】第５の実施形態に係るPLMNの負荷情報を取得する手順を実施するSCSエンティティを含む通信システムを示す図である。
【図１５】第５の実施形態に係るPLMNの負荷情報を取得する手順の一例を示すシーケンス図である。
【図１６】第５の実施形態に係るPCRFの構成例を示すブロック図である。
【図１７】第６の実施形態に係るPLMNの負荷情報を取得する手順を実施するMTC-IWFエンティティを含む無線通信システムを示す図である。
【図１８】第６の実施形態に係るPLMNの負荷情報を取得する手順の一例を示すシーケンス図である。
【図１９】第７の実施形態に係るPLMNの負荷情報を取得する手順の一例を示すシーケンス図である。
【発明を実施するための形態】
【００２８】
以下では、具体的な実施形態について、図面を参照しながら詳細に説明する。各図面において、同一又は対応する要素には同一の符号が付されており、説明の明確化のため、必要に応じて重複説明は省略される。
【００２９】
＜第１の実施形態＞
図１は、本実施形態に係る無線通信システムの構成例を示す図である。本実施形態に係る無線通信システムは、3GPPの無線通信システム、すなわちUMTS又はEPSである。EPSは、Long Term Evolution（LTE）システムとも呼ばれる。
【００３０】
UE３は、MTC UEアプリケーション３１を実行し、MTCデバイスとして振る舞う。MTCデバイスとしてのUE３は、Radio Access Network（RAN）５９を介してSGSN５４又はMME５５に接続するとともに、MTCアプリケーションサーバ４と通信する。なお、UE３は、MTCゲートウェイ・デバイスであってもよい。MTCゲートウェイ・デバイスは、3GPP移動通信機能（つまり、UEの機能）を有するとともに、パーソナル／ローカルエリア接続技術によって近隣のデバイス（例えば、センサ、radio frequency identification （RFID）タグ、カーナビゲーション装置）と接続する。パーソナル／ローカルエリア接続技術の具体例は、IEEE 802.15、ZigBee、Bluetooth、IEEE 802.11aを含む。なお、MTCゲートウェイ・デバイスに接続する近隣のデバイスは、典型的には3GPP移動通信機能を有していないデバイスであるが、3GPP移動通信機能を有するデバイス（つまり、MTCデバイス）であってもよい。
【００３１】
なお、本明細書では、MTCデバイスの用語とMTCゲートウェイ・デバイスの用語を特に区別せずに使用する。つまり、本明細書において用いられるMTCデバイスの用語は、MTCゲートウェイ・デバイスを包含する。したがって、MTCデバイスとしてのUE３は、MTCゲートウェイ・デバイスとしてのUE３も意味する。
【００３２】
MTC-IWFエンティティ１は、PLMNに属するコントロールプレーンのエンティティである。MTC-IWFエンティティ１は、シグナリング・インタフェース（参照点）を介して他のネットワーク要素と通信する。MTC-IWFエンティティ１は、SCS２を含むM2Mサービスレイヤと3GPP PLMNとが、3GPP PLMN のトポロジの詳細を隠蔽しながら協調動作（interwork）するためのコントロールプレーンのインタフェース又はゲートウェイとして振る舞う。以下では、MTC-IWFエンティティ１のシグナリング・インタフェース（参照点）及び他のネットワーク要素について説明する。
【００３３】
MTC-IWFエンティティ１は、Tsp参照点を介してSCS２と通信する。SCS２は、MTCアプリケーションサーバ４をPLMNに接続し、3GPPで定義されたPLMNサービスを介してMTCアプリケーションサーバ４がUE３（つまり、MTCデバイス）と通信できるようにする。また、SCS２は、MTCアプリケーションサーバ４がMTC-IWFエンティティ１と通信できるようにする。SCS２は、PLMNのオペレータ、又はMTCサービスプロバイダによって制御される。SCS２は、MTCサーバ又はM2Mサーバとも呼ばれる。SCS２は、単体の独立した物理的なエンティティであってもよいし、他のネットワーク要素（例えば、MTCアプリケーションサーバ４）に付加された機能的なエンティティであってもよい。Tsp参照点は、例えば、SCS２からMTC-IWFエンティティ１へのデバイストリガーの送信要求（Device Trigger Request（DTR））の送信、MTC-IWFエンティティ１からSCS２へのデバイストリガー結果の報告のために用いられる。
【００３４】
MTC-IWFエンティティ１は、S6m参照点を介してHSS５１と通信する。HSS５１は、PLMNのコアネットワークに配置されたコントロールプレーンのノードであり、UE３の加入者情報を管理する。S6m参照点は、例えば、MTC-IWFエンティティ１からHSS５１への加入者情報の問い合わせの送信、及びHSS５１からMTC-IWFエンティティ１への加入者情報の送信のために用いられる。
【００３５】
MTC-IWFエンティティ１は、T4参照点を介してSMS-SC５２と通信する。SMS-SC５２は、Mobile Terminated（MT）方向のショートメッセージをSGSN５４、MME５５、又はMSC５６を介してUE３に送信し、Mobile Originated（MO）方向のショートメッセージをUE３から受信する。T4インタフェースは、例えば、MTC-IWFエンティティ１からSMS-SC５２へのデバイストリガーの送信要求（i.e. ショートメッセージの送信要求）の送信、SMS-SC５２からMTC-IWFエンティティ１への確認メッセージの送信のために使用される。
【００３６】
MTC-IWFエンティティ１は、Rf参照点又はGa参照点を介してCharging Data Function（CDF）/Charging Gateway Function（CGF）５３と通信する。CDF/CGF５３が有するCDFは、Charging Trigger Function（CTF）によって生成された課金対象イベント（chargeable event）についての課金情報（charging information）をRf参照点を介して受信し、予め定められた課金パーティ（charged party）毎にCharging Data Record（CDR）を生成する。また、CDF/CGF５３が有するCGFは、Ga参照点を介してCDFからCDRを受信し、課金システムにCDRを送信する。なお、課金対象イベントは、通信ネットワークのリソース又はサービスを利用するアクテビティを意味する。課金対象イベントは、例えば、user to user communication (e.g. a single call, a data communication session or a short message)、user to network communication (e.g. service profile administration)、inter-network communication (e.g. transferring calls, signalling, or short messages)、又はmobility (e.g. roaming or inter-system handover) である。CDRは、フォーマットされた課金情報（e.g. 通話時間、データ転送量など）を意味する。MTC-IWFエンティティ１は、例えば、CTF又はCTF 及びCDFを有する。MTC-IWFエンティティ１に配置されたCTF（不図示）は、Rf参照点を介して課金情報をCDF/CGF５３に送る。また、MTC-IWFエンティティ１に配置されたCDF（不図示）は、Ga参照点を介してCDRをCDF/CGF５３に送る。
【００３７】
MTC-IWFエンティティ１は、T5a参照点を介してSGSN５４と通信する。SGSN５４は、UMTSのコアネットワークノードであり、ユーザープレーン機能及びコントロールプレーン機能を有する。SGSN５４のユーザープレーン機能は、RAN５９（i.e. UMTS Terrestrial Radio Access Network（UTRAN））との間にユーザープレーンのトンネリング・インタフェース（i.e. Iu-PS参照点）を有し、Gateway GPRS Support Node（GGSN、i.e. GGSN/P-GW５７）との間にユーザープレーンのトンネリング・インタフェース（i.e. Gn参照点）を有する。そして、SGSN５４のユーザープレーン機能は、RAN５９とGGSN（GGSN/P-GW５７）との間でUE３のユーザーデータパケットを転送する。SGSN５４のコントロールプレーン機能は、UE３のモビリティ管理（e.g. 位置登録）、及びベアラ管理（e.g. ベアラ確立、ベアラ構成変更、ベアラ解放）などを行う。SGSN５４のコントロールプレーン機能は、RAN５９内のノード（i.e. Radio Network Controller (RNC)）との間で制御メッセージを送受信し、UE３との間でNon-Access Stratum（NAS）メッセージを送受信する。NASメッセージは、RAN５９で終端されず、RANの無線アクセス方式に依存することなく、UE３とSGSN５４の間で透過的に送受信される制御メッセージである。さらに、SGSN５４は、UE３のinter-RNCハンドオーバーの際に、ユーザープレーンのモビリティアンカーとして動作する。
【００３８】
MTC-IWFエンティティ１は、T5b参照点を介してMME５５と通信する。MME５５は、EPSのコアネットワークノードであり、UE３のモビリティ管理（e.g. 位置登録）、及びベアラ管理（e.g. ベアラ確立、ベアラ構成変更、ベアラ解放）などを行う。MME５５は、RAN５９内のノード（i.e. eNodeB）との間で制御メッセージを送受信し、UE３との間でNASメッセージを送受信する。NASメッセージは、RAN５９で終端されず、RANの無線アクセス方式に依存することなく、UE３とMME５５の間で透過的に送受信される。
【００３９】
MTC-IWFエンティティ１は、T5c参照点を介してMSC５６と通信する。MSC５６は、コアネットワークに配置されるCircuit-Switched（CS）サービスドメイン（i.e. Public-Switched Telephone Network（PSTN）/Integrated Services Digital Network（ISDN））のノードである。MSC５６は、CSサービスドメインでの呼接続および呼制御を行う。
【００４０】
以上に述べた、Tsp、S6m、T4、Rf/Ga、及びT5a/T5b/T5c参照点は、非特許文献１に規定されている。しかしながら、非特許文献１は、MTC-IWFエンティティ１とGGSN/P-GW５７の間、及びMTC-IWFエンティティ１とS-GW５８の間の参照点を規定していない。
【００４１】
Gateway GPRS Support Node（GGSN）は、UMTSのコアネットワークノードである。Packet Data Network Gateway（P-GW）は、EPSのコアネットワークノードである。GGSN/P-GW５７は、GGSN若しくはP-GW又はこれら両方を意味する。GGSN/P-GW５７は、PLMNのコアネットワークに配置されるユーザープレーンのパケット転送ノードであり、UE３のユーザーデータパケットを転送する。GGSN/P-GW５７は、外部Packet Data Network（PDN）とのゲートウェイの役割を担い、UE３に外部PDNとのコネクティビティを提供する。さらに、GGSN/P-GW５７は、Charging Trigger Function (CTF)、Charging Data Function (CDF)、及びPolicy and Charging Enforcement Function（PCEF）を有する。
【００４２】
CTFとしてのGGSN/P-GW５７は、課金対象イベント（chargeable event）についての課金情報（charging information）を収集する。そして、CDFとしてのGGSN/P-GW５７は、収集された課金情報を用いて、予め定められた課金パーティ（charged party）毎にCharging Data Record (CDR) を生成する。
【００４３】
さらに、PCEFとしてのGGSN/P-GW５７は、Policy and Charging Rule Function（PCRF、不図示）から供給されたPolicy and Charging Control（PCC）ルールに従って、UE３のサービスデータフロー（つまり、IPパケットフロー）単位でのQuality of Service（QoS）制御およびフローベースのベアラ課金（Flow Based bearer Charging（FBC））を行う。FBCは、GGSN/P-GW５７が有するCTF、CDF、及びPCEFによって実現される。つまり、GGSN/P-GW５７は、UE３のサービスデータフローのフィルタリングを行い、CDRの生成及びクローズをトリガーする課金対象イベントとしてサービスデータフローを監視し、サービスデータフローのパケット数をカウントし、サービスデータフローに関する課金情報を含むCDRを生成する。
【００４４】
S-GW５８は、EPSのコアネットワークに配置されるパケット転送ノードである。S-GW５８は、RAN５９（i.e. Evolved UTRAN）との間にユーザープレーンのトンネリング・インタフェース（i.e. S1-U参照点）を有し、P-GW（i.e. GGSN/P-GW５７）との間にユーザープレーンのトンネリング・インタフェース（i.e. S5/S8参照点）を有する。そして、S-GW５８は、RAN５９とP-GW（GGSN/P-GW５７）との間でUE３のユーザーデータパケットを転送する。さらに、S-GW５８は、UE３のinter-eNodeBハンドオーバーの際に、ユーザープレーンのモビリティアンカーとして動作する。
【００４５】
図１の例では、MTC-IWFエンティティ１は、GGSN/P-GW５７との間にシグナリング・インタフェース（参照点）１１を有する。そして、MTC-IWFエンティティ１は、シグナリング・インタフェース１１を介して、GGSN又はP-GWの負荷情報をGGSN/P-GW５７から受信する。GGSN又はP-GWの負荷情報は、GGSN又はP-GWにおけるユーザープレーン若しくはコントロールプレーン又はこれら両方の負荷状況を示す。GGSN又はP-GWの負荷情報は、例えば、転送したユーザーデータパケット数、確立されているトンネルの数、確立されているベアラの数、保持しているベアラコンテキストの数、又は処理した制御メッセージの数を示す。
【００４６】
図２は、GGSN又はP-GWの負荷情報をMTC-IWFエンティティ１において取得する手順を示すシーケンス図である。ステップＳ１１では、GGSN/P-GW５７は、シグナリング・インタフェース１１を介して、MTC-IWFエンティティ１に制御メッセージを送信する。当該制御メッセージは、GGSN又はP-GWの負荷情報を含む。
【００４７】
さらに、図１の例では、MTC-IWFエンティティ１は、S-GW５８との間にシグナリング・インタフェース（参照点）１２を有する。そして、MTC-IWFエンティティ１は、シグナリング・インタフェース１２を介して、S-GW５８の負荷情報をS-GW５８から受信する。S-GW５８の負荷情報は、S-GW５８におけるユーザープレーン若しくはコントロールプレーン又はこれら両方の負荷状況を示す。S-GW５８の負荷情報は、例えば、転送したユーザーデータパケット数、確立されているトンネルの数、確立されているベアラの数、保持しているベアラコンテキストの数、又は処理した制御メッセージの数を示す。
【００４８】
図３は、S-GW５８の負荷情報をMTC-IWFエンティティ１において取得する手順を示すシーケンス図である。ステップＳ１２では、S-GW５８は、シグナリング・インタフェース１２を介して、MTC-IWFエンティティ１に制御メッセージを送信する。当該制御メッセージは、S-GW５８の負荷情報を含む。
【００４９】
なお、MTC-IWFエンティティ１は、シグナリング・インタフェース１１及び１２のうちいずれか一方のみを有してもよい。この場合、MTC-IWFエンティティ１は、GGSN/P-GW５７及びS-GW５８のいずれか一方のみの負荷情報を受信してもよい。
【００５０】
以上に述べたように、本実施形態では、MTC-IWFエンティティ１は、GGSN/P-GW５７との間のシグナリング・インタフェース１１又はS-GW５８又はとの間のシグナリング・インタフェース１２を介して、GGSN/P-GW５７若しくはS-GW５８又はこれら両方の負荷情報を受信する。したがって、MTC-IWFエンティティ１は、GGSN/P-GW５７若しくはS-GW５８又はこれら両方の負荷情報を利用することができる。例えば、MTC-IWFエンティティ１は、GGSN/P-GW５７若しくはS-GW５８又はこれら両方の負荷情報を利用して、追加的なサービスを提供してもよい。
【００５１】
MTC-IWFエンティティ１は、例えば、GGSN/P-GW５７若しくはS-GW５８又はこれら両方の負荷情報に基づいて、MTCデバイスとしてのUE３の通信に関する課金ポリシーを決定してもよい。課金ポリシーは、例えば、MTCサービスの利用料金（e.g. デバイストリガー当たりの料金、UE３のユーザデータの単位ボリューム当たりの料金）を含む。
【００５２】
また、MTC-IWFエンティティ１は、GGSN/P-GW５７若しくはS-GW５８又はこれら両方の負荷情報に基づいて、将来のPLMNの負荷を予測してもよい。例えば、MTC-IWFエンティティ１は、負荷情報を統計的に監視及び解析し、GGSN/P-GW５７及びS-GW５８等の負荷が相対的に大きい時間帯又は相対的に小さい時間帯を判定してもよい。将来のPLMNの負荷は、例えば、MTCサービスの通信タイミングの調整（e.g. MTCアプリケーションサーバ４によるデバイストリガーの発生タイミングの調整）に利用されてもよい。
【００５３】
また、MTC-IWFエンティティ１は、GGSN/P-GW５７若しくはS-GW５８又はこれら両方の負荷情報（第１の負荷情報）に基づいてPLMNの負荷状況を示す第２の負荷情報を作成し、SCS２を介してMTCアプリケーションサーバ４に第２の負荷情報を送ってもよい。
【００５４】
図４は、MTC-IWFエンティティ１の構成例を示すブロック図である。図４の例では、MTC-IWFエンティティ１は、メッセージング部１０１及び制御部１０２を有する。メッセージング部１０１は、GGSN/P-GW５７との間のシグナリング・インタフェース１１又はS-GW５８との間のシグナリング・インタフェース１２を介して、GGSN/P-GW５７若しくはS-GW５８又はこれら両方の負荷情報を受信するよう動作する。制御部１０２は、GGSN/P-GW５７若しくはS-GW５８又はこれら両方の負荷情報を利用して、上述したような追加的なサービス（e.g.課金ポリシーの決定）に関する処理を行うよう動作する。
【００５５】
＜第２の実施形態＞
本実施形態では、上述した第１の実施形態の変形例について説明する。図５は、本実施形態に係る無線通信システムの構成例を示す図である。本実施形態に係る無線通信システムは、3GPPの無線通信システム、すなわちUMTS又はEPSである。
【００５６】
本実施形態では、MTC-IWFエンティティ１は、SGSN５４又はMME５５とMTC-IWFエンティティ１との間のシグナリング・インタフェース（i.e. T5a参照点又はT5b参照点）を介して、負荷情報を含む制御メッセージをSGSN５４又はMME５５から受信する。ここで、負荷情報は、GGSN/P-GW５７若しくはS-GW５８又はこれら両方の負荷状況を示す。GGSNの負荷情報をMTC-IWFエンティティ１に送信するために、SGSN５４は、GGSNとの間の既存のシグナリング・インタフェース（i.e. Gn参照点）を介して、GGSNの負荷情報をGGSN（GGSN/P-GW５７）から受信してもよい。また、MME５５は、S-GW５８との間の既存のシグナリング・インタフェース（i.e. S11参照点）を介して、S-GW若しくはP-GW又はこれら両方の負荷情報をS-GW５８から受信してもよい。P-GWの負荷情報をMTC-IWFエンティティ１に送信するために、S-GW５８は、P-GWとの間の既存のシグナリング・インタフェース（i.e. S5/S8参照点）を介して、P-GWの負荷情報をP-GW（GGSN/P-GW５７）から受信してもよい。
【００５７】
図６は、GGSNの負荷情報をMTC-IWFエンティティ１において取得する手順を示すシーケンス図である。ステップＳ２１では、SGSN５４は、T5a参照点を介して、MTC-IWFエンティティ１に制御メッセージを送信する。当該制御メッセージは、GGSN（GGSN/P-GW５７）の負荷情報を含む。
【００５８】
図７は、P-GW（GGSN/P-GW５７）若しくはS-GW５８又はこれら両方の負荷情報をMTC-IWFエンティティ１において取得する手順を示すシーケンス図である。ステップＳ２２では、MME５５は、T5b参照点を介して、MTC-IWFエンティティ１に制御メッセージを送信する。当該制御メッセージは、P-GW（GGSN/P-GW５７）若しくはS-GW５８又はこれら両方の負荷情報を含む。
【００５９】
本実施形態では、第１の実施形態と同様に、MTC-IWFエンティティ１は、GGSN/P-GW５７若しくはS-GW５８又はこれら両方の負荷情報を受信することができる。したがって、MTC-IWFエンティティ１は、GGSN/P-GW５７若しくはS-GW５８又はこれら両方の負荷情報を利用することができる。例えば、MTC-IWFエンティティ１は、GGSN/P-GW５７若しくはS-GW５８又はこれら両方の負荷情報を利用して、追加的なサービスを提供してもよい。
【００６０】
＜第３の実施形態＞
本実施形態では、上述した第１の実施形態の変形例について説明する。図８は、本実施形態に係る無線通信システムの構成例を示す図である。本実施形態に係る無線通信システムは、3GPPの無線通信システム、すなわちUMTS又はEPSである。
【００６１】
本実施形態では、MTC-IWFエンティティ１は、PCRF６０とMTC-IWFエンティティ１との間のシグナリング・インタフェース（参照点）１３を介して、負荷情報を含む制御メッセージをPCRF６０から受信する。ここで、負荷情報は、GGSN/P-GW５７若しくはS-GW５８又はこれら両方の負荷状況を示す。GGSN/P-GW５７の負荷情報をMTC-IWFエンティティ１に送信するために、PCRF６０は、GGSN/P-GW５７との間の既存のシグナリング・インタフェース（i.e. Gx参照点）を介して、GGSN/P-GW５７の負荷情報をGGSN/P-GW５７から受信してもよい。また、S-GW５８の負荷情報をMTC-IWFエンティティ１に送信するために、PCRF６０は、S-GW５８との間の既存のシグナリング・インタフェース（i.e. Gxc参照点）を介して、S-GW５８の負荷情報をS-GW５８から受信してもよい。
【００６２】
さらにまた、PCRF６０は、Traffic Detection Function（TDF）との間のシグナリング・インタフェース（i.e. Sd参照点）を介して、GGSN/P-GW５７の負荷情報をTDF（不図示）から受信してもよい。TDFは、ディープパケットインスペクション機能を有する。TDFは、Sd参照点を介してPCRF６０からApplication Detection and Control（ADC）ルールを受信し、ADCルールに従ってユーザパケットに対するディープパケットインスペクションを実行し、ADCルールによって指定されたアプリケーションのトラフィックを検出する。そして、TDFは、Sd参照点を介して、アプリケーションのトラフィックの検出結果をPCRF６０に報告する。したがって、TDFは、アプリケーション毎のトラフィック量を検出することができ、アプリケーション毎のGGSN/P-GW５７の負荷を検出することができる。
【００６３】
PCRF６０とMTC-IWFエンティティ１の間のシグナリング・インタフェース１３は、Rx参照点であってもよい。Rx参照点は、PCRF とApplication Function（AF）の間のインタフェースである。この場合、PCRF６０は、アプリケーション・レベルのサービス情報をMTC-IWFエンティティ１から受信し、PCCルールを決定し、PCCルールをGGSN/P-GW５７に供給してもよい。
【００６４】
図９は、GGSN/P-GW５７若しくはS-GW５８又はこれら両方の負荷情報をMTC-IWFエンティティ１において取得する手順を示すシーケンス図である。ステップＳ３１では、PCRF６０は、シグナリング・インタフェース１３を介して、MTC-IWFエンティティ１に制御メッセージを送信する。当該制御メッセージは、GGSN/P-GW５７若しくはS-GW５８又はこれら両方の負荷情報を含む。
【００６５】
本実施形態では、第１の実施形態と同様に、MTC-IWFエンティティ１は、GGSN/P-GW５７若しくはS-GW５８又はこれら両方の負荷情報を受信することができる。したがって、MTC-IWFエンティティ１は、GGSN/P-GW５７若しくはS-GW５８又はこれら両方の負荷情報を利用することができる。例えば、MTC-IWFエンティティ１は、GGSN/P-GW５７若しくはS-GW５８又はこれら両方の負荷情報を利用して、追加的なサービスを提供してもよい。
【００６６】
＜第４の実施形態＞
本実施形態では、上述した第１の実施形態の変形例について説明する。図１０は、本実施形態に係る無線通信システムの構成例を示す図である。本実施形態に係る無線通信システムは、3GPPの無線通信システム、すなわちUMTS又はEPSである。
【００６７】
本実施形態では、MTC-IWFエンティティ１の代わりに、SCS２がGGSN/P-GW５７若しくはS-GW５８又はこれら両方の負荷情報を受信するよう動作する。本実施形態に係るSCS２は、GGSN/P-GW５７との間にシグナリング・インタフェース（参照点）１４を有する。そして、SCS２は、シグナリング・インタフェース１３を介して、GGSN又はP-GWの負荷情報をGGSN/P-GW５７から受信する。GGSN又はP-GWの負荷情報は、GGSN又はP-GWにおけるユーザープレーン若しくはコントロールプレーン又はこれら両方の負荷状況を示す。
【００６８】
図１１は、GGSN又はP-GWの負荷情報をSCS２において取得する手順を示すシーケンス図である。ステップＳ４１では、GGSN/P-GW５７は、シグナリング・インタフェース１４を介して、SCS２に制御メッセージを送信する。当該制御メッセージは、GGSN又はP-GWの負荷情報を含む。
【００６９】
さらに、図１０の例では、SCS２は、S-GW５８との間にシグナリング・インタフェース（参照点）１５を有する。そして、SCS２は、シグナリング・インタフェース１５を介して、S-GW５８の負荷情報をS-GW５８から受信する。S-GW５８の負荷情報は、S-GW５８におけるユーザープレーン若しくはコントロールプレーン又はこれら両方の負荷状況を示す。
【００７０】
図１２は、S-GW５８の負荷情報をSCS２において取得する手順を示すシーケンス図である。ステップＳ４２では、S-GW５８は、シグナリング・インタフェース１５を介して、SCS２に制御メッセージを送信する。当該制御メッセージは、S-GW５８の負荷情報を含む。
【００７１】
本実施形態では、SCS２は、GGSN/P-GW５７若しくはS-GW５８又はこれら両方の負荷情報を受信することができる。したがって、SCS２は、GGSN/P-GW５７若しくはS-GW５８又はこれら両方の負荷情報を利用することができる。例えば、SCS２は、GGSN/P-GW５７若しくはS-GW５８又はこれら両方の負荷情報を利用して、追加的なサービスを提供してもよい。
【００７２】
SCS２は、例えば、GGSN/P-GW５７若しくはS-GW５８又はこれら両方の負荷情報に基づいて、MTCデバイスとしてのUE３の通信に関する課金ポリシーを決定してもよい。また、SCS２は、GGSN/P-GW５７若しくはS-GW５８又はこれら両方の負荷情報に基づいて、将来のPLMNの負荷を予測してもよい。また、SCS２は、GGSN/P-GW５７若しくはS-GW５８又はこれら両方の負荷情報（第１の負荷情報）に基づいてPLMNの負荷状況を示す第２の負荷情報を作成し、MTCアプリケーションサーバ４に第２の負荷情報を送ってもよい。
【００７３】
SCS２は、GGSN/P-GW５７若しくはS-GW５８又はこれら両方の負荷情報を、MTC-IWFエンティティ１との間のシグナリング・インタフェース（i.e. Tsp参照点）を介してMTC-IWFエンティティ１に送ってもよい。これにより、MTC-IWFエンティティ１は、GGSN/P-GW５７若しくはS-GW５８又はこれら両方の負荷情報を利用できる。
【００７４】
図１３は、SCS２の構成例を示すブロック図である。図１３の例では、SCS２は、第１メッセージング部２０１及び第２メッセージング部２０２を有する。第１メッセージング部２０１は、Tsp参照点を介して、MTC-IWFエンティティ１と通信するよう動作する。第２メッセージング部２０２は、GGSN/P-GW５７との間のシグナリング・インタフェース１４又はS-GW５８又はとの間のシグナリング・インタフェース１５を介して、GGSN/P-GW５７若しくはS-GW５８又はこれら両方の負荷情報を受信するよう動作する。なお、第１メッセージング部２０１は、GGSN/P-GW５７若しくはS-GW５８又はこれら両方の負荷情報を含む制御メッセージを、Tsp参照点を介してMTC-IWFエンティティ１に送信してもよい。
【００７５】
＜第５の実施形態＞
本実施形態では、上述した第３又は第４の実施形態の変形例について説明する。図１４は、本実施形態に係る無線通信システムの構成例を示す図である。本実施形態に係る無線通信システムは、3GPPの無線通信システム、すなわちUMTS又はEPSである。
【００７６】
本実施形態では、第４の実施形態と同様に、SCS２がGGSN/P-GW５７若しくはS-GW５８又はこれら両方の負荷情報を受信するよう動作する。当該負荷情報は、ユーザープレーン若しくはコントロールプレーン又はこれら両方の負荷状況を示す。さらに、本実施形態に係るSCS２は、本実施形態に係るSCS２は、PCRF６０との間にシグナリング・インタフェース（参照点）１６を有し、当該負荷情報をPCRF６０から受信する。
【００７７】
PCRF６０とSCS２の間のシグナリング・インタフェース１６は、Rx参照点であってもよい。Rx参照点は、PCRF とApplication Function（AF）の間のインタフェースである。PCRF６０は、第３の実施形態で述べたように、GGSN/P-GW５７との間のシグナリング・インタフェース（i.e. Gx参照点）、S-GW５８との間のシグナリング・インタフェース（i.e. Gxc参照点）、若しくはTraffic Detection Function（TDF）との間のシグナリング・インタフェース（i.e. Sd参照点）、又はこれらの組み合わせを用いて、GGSN/P-GW５７若しくはS-GW５８又はこれら両方の負荷情報を取得してもよい。
【００７８】
図１５は、GGSN/P-GW５７若しくはS-GW５８又はこれら両方の負荷情報をSCS２において取得する手順を示すシーケンス図である。ステップＳ５１では、PCRF６０は、シグナリング・インタフェース１６を介して、SCS２に制御メッセージを送信する。当該制御メッセージは、GGSN/P-GW５７若しくはS-GW５８又はこれら両方の負荷情報を含む。
【００７９】
本実施形態では、第４の実施形態と同様に、SCS２は、GGSN/P-GW５７若しくはS-GW５８又はこれら両方の負荷情報を受信することができる。したがって、SCS２は、GGSN/P-GW５７若しくはS-GW５８又はこれら両方の負荷情報を利用することができる。例えば、SCS２は、GGSN/P-GW５７若しくはS-GW５８又はこれら両方の負荷情報を利用して、追加的なサービスを提供してもよい。
【００８０】
SCS２は、GGSN/P-GW５７若しくはS-GW５８又はこれら両方の負荷情報を、MTC-IWFエンティティ１との間のシグナリング・インタフェース（i.e. Tsp参照点）を介してMTC-IWFエンティティ１に送ってもよい。これにより、MTC-IWFエンティティ１は、GGSN/P-GW５７若しくはS-GW５８又はこれら両方の負荷情報を利用できる。
【００８１】
図１６は、PCRF６０の構成例を示すブロック図である。図１６の例では、PCRF６０は、メッセージング部６０１及び制御部６０２を有する。制御部６０２は、PCEFとしてのGGSN/P-GW５７に対してPCCルールを供給するよう動作する。メッセージング部６０１は、SCS２との間のシグナリング・インタフェース１６を介して、GGSN/P-GW５７若しくはS-GW５８又はこれら両方の負荷情報をSCS２に送信するよう動作する。
【００８２】
上述した本実施形態に係るPCRF６０は、SCS２ではなくアプリケーションサーバ４に対して、GGSN/P-GW５７若しくはS-GW５８又はこれら両方の負荷情報を送信するよう動作してもよい。
【００８３】
＜第６の実施形態＞
本実施形態では、上述した第第１〜第３の実施形態の変形例について説明する。図１７は、本実施形態に係る無線通信システムの構成例を示す図である。本実施形態に係る無線通信システムは、3GPPの無線通信システム、すなわちUMTS又はEPSである。
【００８４】
本実施形態では、MTC-IWFエンティティ１はTraffic Detection Function（TDF）６１とMTC-IWFエンティティ１との間のシグナリング・インタフェース（参照点）１７を介して、負荷情報を含む制御メッセージをTDF６１から受信する。ここで、負荷情報は、PLMNのユーザープレーンの負荷情報、言い換えるとGGSN/P-GW５７若しくはS-GW５８又はこれら両方の負荷状況を示す。
【００８５】
既に述べたように、TDF６１は、ディープパケットインスペクション機能を有する。TDF６１は、Sd参照点を介してPCRF６０からApplication Detection and Control（ADC）ルールを受信し、ADCルールに従ってユーザパケットに対するディープパケットインスペクションを実行し、ADCルールによって指定されたアプリケーション（言い換えると、パケットフロー又はIP-CANセッション）のトラフィックを検出する。したがって、TDF６１は、アプリケーション毎のトラフィック量を検出することができ、アプリケーション毎のGGSN/P-GW５７の負荷を検出することができる。さらに、本実施形態のTDF６１は、シグナリング・インタフェース１７を介して、アプリケーション毎のトラフィック量（又はアプリケーション毎のGGSN/P-GW５７の負荷）の検出結果をMTC-IWFエンティティ１に報告する。
【００８６】
図１８は、TDF61によって検出されたPLMNのユーザープレーンの負荷情報をMTC-IWFエンティティ１において取得する手順を示すシーケンス図である。ステップＳ６１では、TDF61は、シグナリング・インタフェース１７を介して、MTC-IWFエンティティ１に制御メッセージを送信する。当該制御メッセージは、PLMNのユーザープレーンの負荷情報、言い換えるとGGSN/P-GW５７若しくはS-GW５８又はこれら両方の負荷情報を含む。
【００８７】
本実施形態では、第１〜第３の実施形態と同様に、MTC-IWFエンティティ１は、GGSN/P-GW５７若しくはS-GW５８又はこれら両方の負荷情報を受信することができる。したがって、MTC-IWFエンティティ１は、GGSN/P-GW５７若しくはS-GW５８又はこれら両方の負荷情報を利用することができる。例えば、MTC-IWFエンティティ１は、GGSN/P-GW５７若しくはS-GW５８又はこれら両方の負荷情報を利用して、追加的なサービスを提供してもよい。
【００８８】
＜第７の実施形態＞
本実施形態に係る無線通信システムの構成例は、例えば図５と同様であってもよい。本実施形態では、MTC-IWFエンティティ１は、SGSN５４又はMME５５の負荷情報をSGSN５４又はMME５５から受信するよう動作する。ここで、SGSN５４又はMME５５の負荷情報は、コントロールプレーンのノードとしてのSGSN５４又はMME５５における制御処理の負荷状況を示す。SGSN５４又はMME５５の負荷情報は、例えば、全ての制御メッセージの処理数、UE３からのアタッチ要求の処理数、UE３からのベアラ確立要求（又はベアラコンテキスト活性化要求）の処理数、又は保持しているベアラコンテキストの数を示す。
【００８９】
具体的には、MTC-IWFエンティティ１は、SGSN５４とMTC-IWFエンティティ１との間のシグナリング・インタフェース（i.e. T5a参照点）を介して、SGSN５４の負荷情報を含む制御メッセージをSGSN５４から受信してもよい。また、MTC-IWFエンティティ１は、MME５５とMTC-IWFエンティティ１との間のシグナリング・インタフェース（i.e. T5b参照点）を介して、MME５５の負荷情報を含む制御メッセージをMME５５から受信してもよい。
【００９０】
図１９は、MME５５の負荷情報をMTC-IWFエンティティ１において取得する手順を示すシーケンス図である。ステップＳ７１では、MME５５は、T5b参照点を介して、MTC-IWFエンティティ１に制御メッセージを送信する。当該制御メッセージは、MME５５の負荷情報を含む。
【００９１】
本実施形態に係るMTC-IWF１の構成例は、図４と同様であってもよい。
【００９２】
本実施形態では、MTC-IWFエンティティ１は、コントロールプレーンのノードとしてのSGSN５４又はMME５５の負荷情報を受信することができる。したがって、MTC-IWFエンティティ１は、SGSN５４又はMME５５の負荷情報を利用することができる。例えば、MTC-IWFエンティティ１は、SGSN５４又はMME５５の負荷情報を利用して、GGSN/P-GW５７又はS-GW５８の負荷情報の利用に関して第１の実施形態で述べたのと同様の追加的なサービスを提供してもよい。
【００９３】
＜その他の実施形態＞
上述した複数の実施形態は、適宜組み合わせて実施されてもよい。
【００９４】
上述した複数の実施形態で説明されたMTC-IWFエンティティ１、SCS２、MTCアプリケーションサーバ４、SGSN５４、MME５５、GGSN/P-GW５７、S-GW５８、PCRF６０、及びUE３により行われる処理は、コンピュータシステムにプログラムを実行させることによって実現してもよい。具体的には、本明細書においてシーケンス図等を用いて説明したアルゴリズムをコンピュータシステムに行わせるための命令群を含む一つ又は複数のプログラムを作成し、当該プログラムをコンピュータシステムに供給すればよい。
【００９５】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９６】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００９７】
例えば、上記の実施形態の一部又は全部は、以下の付記のようにも記載され得るが、以下には限られない。
【００９８】
（付記Ａ１）
モバイルコアネットワークに配置されるMachine Type Communication Inter Working Function（MTC-IWF）エンティティであって、
Gateway General Packet Radio Service Support Node（GGSN）、Serving Gateway（S-GW）、又はPacket Data Network Gateway（P-GW）と前記MTC-IWFエンティティとの間のシグナリング・インタフェースを介して、第１の負荷情報を含む制御メッセージを前記GGSN、前記S-GW、又は前記P-GWから受信するメッセージング部を備え、
前記第１の負荷情報は、前記GGSN、前記S-GW、又は前記P-GWにおけるユーザープレーン又はコントロールプレーンの負荷状況を示す、
MTC-IWFエンティティ。
【００９９】
（付記Ａ２）
前記第１の負荷情報に基づいてMachine Type Communication（MTC）デバイスの通信に関する課金ポリシーを決定する第１の制御部をさらに備える、付記Ａ１に記載のMTC-IWFエンティティ。
【０１００】
（付記Ａ３）
前記第１の負荷情報に基づいて将来のネットワーク負荷を予測する第２の制御部をさらに備える、付記Ａ１又はＡ２に記載のMTC-IWFエンティティ。
【０１０１】
（付記Ａ４）
前記モバイルコアネットワークの負荷状況を示す第２の負荷情報を前記第１の負荷情報に基づいて作成し、前記第２の負荷情報をService Capability Server（SCS）を介してアプリケーションサーバに送る第３の制御部をさらに備える、付記Ａ１〜Ａ３のいずれか１項に記載のMTC-IWFエンティティ。
【０１０２】
（付記Ａ５）
Machine Type Communication Inter Working Function（MTC-IWF）エンティティにおいて、Gateway General Packet Radio Service Support Node（GGSN）、Serving Gateway（S-GW）、又はPacket Data Network Gateway（P-GW）と前記MTC-IWFエンティティとの間のシグナリング・インタフェースを介して、第１の負荷情報を含む制御メッセージを前記GGSN、前記S-GW、又は前記P-GWから受信することを備え、
前記第１の負荷情報は、前記GGSN、前記S-GW、又は前記P-GWにおけるユーザープレーン又はコントロールプレーンの負荷状況を示す、
通信方法。
【０１０３】
（付記Ａ６）
前記第１の負荷情報に基づいてMachine Type Communication（MTC）デバイスの通信に関する課金ポリシーを決定することを更に備える、付記Ａ５に記載の通信方法。
【０１０４】
（付記Ａ７）
前記第１の負荷情報に基づいて将来のネットワーク負荷を予測することをさらに備える、付記Ａ５又はＡ６に記載の通信方法。
【０１０５】
（付記Ａ８）
モバイルコアネットワークの負荷状況を示す第２の負荷情報を前記第１の負荷情報に基づいて作成すること、及び
前記第２の負荷情報をService Capability Server（SCS）を介して前記MTC-IWFエンティティからアプリケーションサーバに送ること、
をさらに備える、付記Ａ５〜Ａ７のいずれか１項に記載の通信方法。
【０１０６】
（付記Ａ９）
通信方法をコンピュータに行わせるためのプログラムであって、
前記通信方法は、Machine Type Communication Inter Working Function（MTC-IWF）エンティティにおいて、Gateway General Packet Radio Service Support Node（GGSN）、Serving Gateway（S-GW）、又はPacket Data Network Gateway（P-GW）と前記MTC-IWFエンティティとの間のシグナリング・インタフェースを介して、第１の負荷情報を含む制御メッセージを前記GGSN、前記S-GW、又は前記P-GWから受信することを備え、
前記第１の負荷情報は、前記GGSN、前記S-GW、又は前記P-GWにおけるユーザープレーン又はコントロールプレーンの負荷状況を示す、
プログラム。
【０１０７】
（付記Ｂ１）
モバイルコアネットワークに配置されるMachine Type Communication Inter Working Function（MTC-IWF）エンティティであって、
Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信するメッセージング部を備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
MTC-IWFエンティティ。
【０１０８】
（付記Ｂ２）
前記第１の負荷情報に基づいてMachine Type Communication（MTC）デバイスの通信に関する課金ポリシーを決定する第１の制御部をさらに備える、付記Ｂ１０に記載のMTC-IWFエンティティ。
【０１０９】
（付記Ｂ３）
前記第１の負荷情報に基づいて将来のネットワーク負荷を予測する第２の制御部をさらに備える、付記Ｂ１又はＢ２に記載のMTC-IWFエンティティ。
【０１１０】
（付記Ｂ４）
前記モバイルコアネットワークの負荷状況を示す第２の負荷情報を前記第１の負荷情報に基づいて作成し、前記第２の負荷情報をService Capability Server（SCS）を介してアプリケーションサーバに送る第３の制御部をさらに備える、付記Ｂ１〜Ｂ３のいずれか１項に記載のMTC-IWFエンティティ。
【０１１１】
（付記Ｂ５）
前記シグナリング・インタフェースは、T5aインタフェース又はT5bインタフェースである、付記Ｂ１〜Ｂ４のいずれか１項に記載のMTC-IWFエンティティ。
【０１１２】
（付記Ｂ６）
Machine Type Communication Inter Working Function（MTC-IWF）エンティティにおいて、Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信することを備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
通信方法。
【０１１３】
（付記Ｂ７）
前記第１の負荷情報に基づいてMachine Type Communication（MTC）デバイスの通信に関する課金ポリシーを決定することを更に備える、付記Ｂ６に記載の通信方法。
【０１１４】
（付記Ｂ８）
前記第１の負荷情報に基づいて将来のネットワーク負荷を予測することをさらに備える、付記Ｂ６又はＢ７に記載の通信方法。
【０１１５】
（付記Ｂ９）
モバイルコアネットワークの負荷状況を示す第２の負荷情報を前記第１の負荷情報に基づいて作成すること、及び
前記第２の負荷情報をService Capability Server（SCS）を介して前記MTC-IWFエンティティからアプリケーションサーバに送ること、
をさらに備える、付記Ｂ６〜Ｂ８のいずれか１項に記載の通信方法。
【０１１６】
（付記Ｂ１０）
通信方法をコンピュータに行わせるためのプログラムであって、
前記通信方法は、Machine Type Communication Inter Working Function（MTC-IWF）エンティティにおいて、Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信することを備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
プログラム。
【０１１７】
（付記Ｃ１）
Service Capability Server（SCS）エンティティであって、
Machine type Communication Inter Working Function（MTC-IWF）エンティティと前記SCSエンティティとの間の第１のシグナリング・インタフェースを介して、前記MTC-IWFエンティティと通信する第１のメッセージング部と、
Gateway General Packet Radio Service Support Node（GGSN）、Serving Gateway（S-GW）、又はPacket Data Network Gateway（P-GW）と前記SCSエンティティとの間の第２のシグナリング・インタフェースを介して、第１の負荷情報を含む制御メッセージを前記GGSN、前記S-GW、又は前記P-GWから受信する第２のメッセージング部を備え、
前記第１の負荷情報は、前記GGSN、前記S-GW、又は前記P-GWにおけるユーザープレーン又はコントロールプレーンの負荷状況を示す、
SCSエンティティ。
【０１１８】
（付記Ｃ２）
前記第１のメッセージング部は、前記第１の負荷情報を含む制御メッセージを前記第１のシグナリング・インタフェースを介して前記MTC-IWFエンティティに送信する、付記Ｃ１に記載のSCSエンティティ。
【０１１９】
（付記Ｃ３）
Service Capability Server（SCS）エンティティにおいて、Machine type Communication Inter Working Function（MTC-IWF）エンティティと前記SCSエンティティとの間の第１のシグナリング・インタフェースを介して、前記MTC-IWFエンティティと通信すること、及び
前記SCSエンティティにおいて、Gateway General Packet Radio Service Support Node（GGSN）、Serving Gateway（S-GW）、又はPacket Data Network Gateway（P-GW）と前記SCSエンティティとの間の第２のシグナリング・インタフェースを介して、第１の負荷情報を含む制御メッセージを前記GGSN、前記S-GW、又は前記P-GWから受信すること、
を備え、
前記第１の負荷情報は、前記GGSN、前記S-GW、又は前記P-GWにおけるユーザープレーン又はコントロールプレーンの負荷状況を示す、
通信方法。
【０１２０】
（付記Ｃ４）
前記第１の負荷情報を含む制御メッセージを前記第１のシグナリング・インタフェースを介して前記SCSエンティティから前記MTC-IWFエンティティに送信することをさらに備える、付記Ｃ３に記載の通信方法。
【０１２１】
（付記Ｃ５）
通信方法をコンピュータに行わせるためのプログラムであって、
前記通信方法は、
Service Capability Server（SCS）エンティティにおいて、Machine type Communication Inter Working Function（MTC-IWF）エンティティと前記SCSエンティティとの間の第１のシグナリング・インタフェースを介して、前記MTC-IWFエンティティと通信すること、及び
前記SCSエンティティにおいて、Gateway General Packet Radio Service Support Node（GGSN）、Serving Gateway（S-GW）、又はPacket Data Network Gateway（P-GW）と前記SCSエンティティとの間の第２のシグナリング・インタフェースを介して、第１の負荷情報を含む制御メッセージを前記GGSN、前記S-GW、又は前記P-GWから受信すること、
を備え、
前記第１の負荷情報は、前記GGSN、前記S-GW、又は前記P-GWにおけるユーザープレーン又はコントロールプレーンの負荷状況を示す、
プログラム。
【０１２２】
（付記Ｄ１）
モバイルコアネットワークに配置されるMachine Type Communication Inter Working Function（MTC-IWF）エンティティであって、
Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信するメッセージング部を備え、
前記第１の負荷情報は、前記SGSN又は前記MMEの負荷状況を示す、
MTC-IWFエンティティ。
【０１２３】
（付記Ｄ２）
前記シグナリング・インタフェースは、T5aインタフェース又はT5bインタフェースである、付記Ｄ１に記載のMTC-IWFエンティティ。
【０１２４】
（付記Ｄ３）
Machine Type Communication Inter Working Function（MTC-IWF）エンティティにおいて、Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信することを備え、
前記第１の負荷情報は、前記SGSN又は前記MMEの負荷状況を示す、
通信方法。
【０１２５】
（付記Ｄ４）
通信方法をコンピュータに行わせるためのプログラムであって、
前記通信方法は、Machine Type Communication Inter Working Function（MTC-IWF）エンティティにおいて、Serving General Packet Radio Service Support Node（SGSN）又はMobility Management Entity（MME）と前記MTC-IWFエンティティとの間のシグナリング・インタフェースを介して、第１の負荷情報を含む制御メッセージを前記SGSN又は前記MMEから受信することを備え、
前記第１の負荷情報は、前記SGSN又は前記MMEの負荷状況を示す、
プログラム。
【０１２６】
（付記Ｅ１）
モバイルコアネットワークに配置されるMachine Type Communication Inter Working Function（MTC-IWF）エンティティであって、
Traffic Detection Function（TDF）と前記MTC-IWFエンティティとの間のシグナリング・インタフェースを介して、第１の負荷情報を含む制御メッセージを前記TDFから受信するメッセージング部を備え、
前記第１の負荷情報は、Gateway General Packet Radio Service Support Node（GGSN）、Serving Gateway（S-GW）、又はPacket Data Network Gateway（P-GW）におけるユーザープレーンの負荷状況を示す、
MTC-IWFエンティティ。
【０１２７】
（付記Ｅ２）
Machine Type Communication Inter Working Function（MTC-IWF）エンティティにおいて、Traffic Detection Function（TDF）と前記MTC-IWFエンティティとの間のシグナリング・インタフェースを介して、第１の負荷情報を含む制御メッセージを前記TDFから受信することを備え、
前記第１の負荷情報は、Gateway General Packet Radio Service Support Node（GGSN）、Serving Gateway（S-GW）、又はPacket Data Network Gateway（P-GW）におけるユーザープレーンの負荷状況を示す、
通信方法。
【０１２８】
（付記Ｅ３）
通信方法をコンピュータに行わせるためのプログラムであって、
前記通信方法は、Machine Type Communication Inter Working Function（MTC-IWF）エンティティにおいて、Traffic Detection Function（TDF）と前記MTC-IWFエンティティとの間のシグナリング・インタフェースを介して、第１の負荷情報を含む制御メッセージを前記TDFから受信することを備え、
前記第１の負荷情報は、Gateway General Packet Radio Service Support Node（GGSN）、Serving Gateway（S-GW）、又はPacket Data Network Gateway（P-GW）におけるユーザープレーンの負荷状況を示す、
プログラム。
【０１２９】
この出願は、２０１３年８月２２日に出願された日本出願特願２０１３−１７２６５３を基礎とする優先権を主張し、その開示の全てをここに取り込む。
【符号の説明】
【０１３０】
１  Machine Type Communication Inter Working Function （MTC-IWF）エンティティ
２  Service Capability Server （SCS）
３  User Equipment（UE）
４  MTC アプリケーションサーバ
１１〜１７  シグナリング・インタフェース（又は参照点）
３１  MTC UE アプリケーション
５１  Home Subscriber Server（HSS）
５２  Short Message Service - Service Center（SMS-SC）
５３  Charging Data Function（CDF）/Charging Gateway Function（CGF）
５４  Serving General Packet Radio Service (GPRS) Support Node（SGSN）
５５  Mobility Management Entity（MME）
５６  Mobile Switching Center（MSC）
５７  Gateway GPRS Support Node/Packet Data Network Gateway（GGSN/P-GW）
５８  Serving Gateway（S-GW）
５９  Radio Access Network（RAN）
６０  Policy and Charging Rule Function（PCRF）
６１  Traffic Detection Function（TDF）
１０１  メッセージング部
１０２  制御部
２０１  第１メッセージング部
２０２  第２メッセージング部
【図１】
2015025444.tif 000003
【図２】
2015025444.tif 000004
【図３】
2015025444.tif 000005
【図４】
2015025444.tif 000006
【図５】
2015025444.tif 000007
【図６】
2015025444.tif 000008
【図７】
2015025444.tif 000009
【図８】
2015025444.tif 000010
【図９】
2015025444.tif 000011
【図１０】
2015025444.tif 000012
【図１１】
2015025444.tif 000013
【図１２】
2015025444.tif 000014
【図１３】
2015025444.tif 000015
【図１４】
2015025444.tif 000016
【図１５】
2015025444.tif 000017
【図１６】
2015025444.tif 000018
【図１７】
2015025444.tif 000019
【図１８】
2015025444.tif 000020
【図１９】
2015025444.tif 000021
【手続補正書】
【提出日】平成28年2月12日(2016.2.12)
【手続補正１】
【補正対象書類名】特許請求の範囲
【補正対象項目名】請求項９
【補正方法】変更
【補正の内容】
【請求項９】
通信方法をコンピュータに行わせるためのプログラムであって、
前記通信方法は、Machine Type Communication Inter Working Function（MTC-IWF）エンティティにおいて、Policy and Charging Rule Function（PCRF）と前記MTC-IWFエンティティとの間のシグナリング・インタフェースを介して、第１の負荷情報を含む制御メッセージを前記PCRFから受信することを備え、
前記第１の負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
プログラム。
【手続補正２】
【補正対象書類名】特許請求の範囲
【補正対象項目名】請求項１４
【補正方法】変更
【補正の内容】
【請求項１４】
通信方法をコンピュータに行わせるためのプログラムであって、
前記通信方法は、
Policy and Charging Rule Function（PCRF）エンティティにおいて、Policy and Charging Enforcement Function（PCEF）としてのGateway General Packet Radio Service Support Node（GGSN）又はPacket Data Network Gateway（P-GW）にPolicy and Charging Control（PCC）ルールを供給すること、及び
前記PCRFエンティティにおいて、負荷情報をService Capability Server（SCS）又はアプリケーションサーバに送ること、
を備え、
前記負荷情報は、前記GGSN、前記P-GW、又はServing Gateway（S-GW）におけるユーザープレーン又はコントロールプレーンの負荷状況を示す、
プログラム。
【手続補正３】
【補正対象書類名】特許請求の範囲
【補正対象項目名】請求項１５
【補正方法】変更
【補正の内容】
【請求項１５】
通信方法をコンピュータに行わせるためのプログラムであって、
前記通信方法は、
Service Capability Server（SCS）エンティティにおいて、Machine type Communication Inter Working Function（MTC-IWF）エンティティと前記SCSエンティティとの間の第１のシグナリング・インタフェースを介して、前記MTC-IWFエンティティと通信すること、及び
前記SCSエンティティにおいて、Policy and Charging Rule Function（PCRF）と前記SCSエンティティとの間の第２のシグナリング・インタフェースを介して、負荷情報を含む制御メッセージを前記PCRFから受信すること、
を備え、
前記負荷情報は、Gateway General Packet Radio Service Support Node（GGSN）、Serving Gateway（S-GW）、又はPacket Data Network Gateway（P-GW）におけるユーザープレーン又はコントロールプレーンの負荷状況を示す、
プログラム。
【国際調査報告】
2015025444.tif 000022
2015025444.tif 000023
2015025444.tif 000024
2015025444.tif 000025